(57)【特許請求の範囲】
【請求項１】
気化薬剤からの気化ガスで満たされる内部空間が形成された容器体を有し、
この容器体は、前記内部空間と外部とを連通する通気部を備えるとともに、この通気部を開口させた状態で、その軸線方向に沿って伸縮可能に形成され、
前記容器体は、有底筒状に形成された外容器と、この外容器の開口部に着脱可能に嵌合された内容器と、を備え、この内容器は、前記気化薬剤が収納される収納部を備え、この収納部にはその内部と前記内部空間とを連通する連通孔が形成され、
前記内容器には、前記連通孔を覆う微多孔性シートと、この微多孔性シートをその全域にわたって覆いかつ取り外し可能に貼着された密封シートと、がこの順に配設されていることを特徴とする気化薬剤収納容器。
【発明の詳細な説明】
【技術分野】
【０００１】
本発明は、例えば防虫剤、消臭剤、芳香剤および抗菌剤等の気化薬剤が収納される気化薬剤収納容器に関するものである。
【背景技術】
【０００２】
この種の容器として、例えば下記特許文献１に示されるような、使用に際し蓋を任意の角度で開くことにより、気化薬剤からの気化ガスを常に少量ずつ揮散させる構成、あるいは例えば下記特許文献２に示されるような、噴霧ボタンを押すことで容器体内の気化ガスを噴出させて揮散させる構成が知られている。
【特許文献１】特許第３７４４５６３号公報
【特許文献２】特開２００１−７２１５１号公報
【発明の開示】
【発明が解決しようとする課題】
【０００３】
しかしながら、前者の気化薬剤収納容器では、任意のときにまとまった量の気化ガスを揮散させることができず、また後者の気化薬剤収納容器では、噴霧ボタンを押さなければ気化ガスを揮散させることができない。
【０００４】
本発明は、このような事情を考慮してなされたもので、任意のときにまとまった量の気化ガスを揮散させることが可能で、しかも少量の気化ガスを定常的に揮散させることもできる気化薬剤収納容器を提供することを目的とする。
【課題を解決するための手段】
【０００５】
上記課題を解決して、このような目的を達成するために、本発明の気化薬剤収納容器は、気化薬剤からの気化ガスで満たされる内部空間が形成された容器体を有し、この容器体は、前記内部空間と外部とを連通する通気部を備えるとともに、この通気部を開口させた状態で、その軸線方向に沿って伸縮可能に形成され、前記容器体は、有底筒状に形成された外容器と、この外容器の開口部に着脱可能に嵌合された内容器と、を備え、この内容器は、前記気化薬剤が収納される収納部を備え、この収納部にはその内部と前記内部空間とを連通する連通孔が形成され、前記内容器には、前記連通孔を覆う微多孔性シートと、この微多孔性シートをその全域にわたって覆いかつ取り外し可能に貼着された密封シートと、がこの順に配設されていることを特徴とする。
この発明では、容器体が内部空間と外部とを連通する通気部を備えているので、前記内部空間に満たされた気化ガスを少量ずつ通気部から外部に定常的に揮散させることが可能になる。また、容器体が、前記通気部を開口させた状態で、その軸線方向に沿って伸縮可能に形成されているので、任意のときに容器体をその軸線方向に沿って縮小変形させて、内部空間の体積を減少させることにより、この体積減少分だけまとまった量の気化ガスを通気部から外部に揮散させることができる。
以上より、任意のときにまとまった量の気化ガスを揮散させることが可能で、しかも少量の気化ガスを定常的に揮散させることもできる。
【０００６】
また、内容器に気化薬剤が収納される収納部が備えられ、この収納部にその内部と前記内部空間とを連通する連通孔が形成されているので、この内容器を外容器の開口部に嵌合することで、収納部内に収納された気化薬剤からの気化ガスが前記連通孔を通じて内部空間に満たされ、この気化ガスを外部へと揮散させることが可能となる。また、内容器を外容器の開口部に嵌合する前、つまり内容器を外容器から取り外した状態で、収納部内に気化薬剤を収納することが可能になり、収納部内に気化薬剤を容易に収納することができる。
【０００７】
さらに、前記気化ガスを外部に揮散させるに際し、密封シートを微多孔性シートから取り外すだけで、気化ガスを発散させることができるので、その取り扱い性が容易になる。
【発明の効果】
【０００８】
この発明に係る気化薬剤収納容器によれば、任意のときにまとまった量の気化ガスを揮散させることが可能で、しかも少量の気化ガスを定常的に揮散させることもできる。
【発明を実施するための最良の形態】
【０００９】
以下、図面を参照し、この発明の第１実施形態について説明する。この実施形態に係る気化薬剤収納容器１０は、図１および図２に示されるように、気化薬剤Ｗからの気化ガスＧで満たされる内部空間Ａが形成されるとともに、この内部空間Ａと外部とを連通する通気部１１を備える容器体１２と、この容器体１２に離脱可能に装着され通気部１１を閉塞する図示されない蓋体と、を備えている。なお、図示の例では、気化薬剤Ｗは固形物となっている。
【００１０】
容器体１２は、有底円筒状に形成された外容器１３と、この外容器１３の開口部１３ａに離脱可能に嵌合された内容器１４と、を備えている。
外容器１３は、底部１３ｂを有する大径の胴部１３ｃと、開口部１３ａを有し胴部１３ｃよりも小径の口部１３ｄと、が一体に形成されて構成されている。そして、この外容器１３の内部が前記内部空間Ａとなっている。なお、口部１３ｄの開口端縁１３ｆは、径方向外方に向けて突出したフランジ状に形成されている
ここで、胴部１３ｃおよび口部１３ｄはそれぞれ横断面視円環状に形成されるとともに、共通軸と同軸に配置されている。以下、この共通軸を中心軸線Ｏといい、この中心軸線Ｏ方向に沿って底部１３ｂ側を下側といい、開口部１３ａ側を上側という。
【００１１】
内容器１４は、有頂円筒状に形成された収納部１５ａと、この収納部１５ａの上端部をその径方向外側から囲繞するように配置されたリング状のフランジ部１４ａと、フランジ部１４ａの内周縁から下方に向けて延設された嵌合筒部１５ｂと、前記中心軸線Ｏ回りに間隔をあけて複数配置され収納部１５ａとフランジ部１４ａおよび嵌合筒部１５ｂとを連結する連結板１６と、を備え、これらが一体に形成されて構成されている。また、収納部１５ａ、フランジ部１４ａおよび嵌合筒部１５ｂはそれぞれ、前記中心軸線Ｏと同軸上に配置されている。
【００１２】
そして、この内容器１４は、フランジ部１４ａが口部１３ｄの開口端縁１３ｆ上に配置され、かつ嵌合筒部１５ｂが外容器１３の開口部１３ａ内に嵌合されて収納部１５ａが前記内部空間Ａに向けて突出した状態で外容器１３に配設されている。なお、内容器１４において、収納部１５ａの上端部はフランジ部１４ａよりも上方に位置している。
ここで、内容器１４における収納部１５ａの内部に気化薬剤Ｗが収納されている。また、前記中心軸線Ｏ回りで隣り合う連結板１６同士の間の隙間が前記通気部１１となっている。つまり、容器体１２の内容器１４に通気部１１が形成されている。
【００１３】
ここで、収納部１５ａには、その内部と内部空間Ａとを連通する連通孔１５ｃが形成されている。図示の例では、連通孔１５ｃは、外容器１３における底部１３ｂの内面に向けて開口する収納部１５ａの下端開口部となっている。
そして、この収納部１５ａには、連通孔１５ｃを覆う微多孔性シート１７と、この微多孔性シート１７をその全域にわたって覆いかつ取り外し可能に貼着された例えばアルミニウム箔等からなる密封シート１８と、がこの順に配設されている。
【００１４】
そして、本実施形態では、外容器１３（容器体１２）は、図１および図２に示されるように蓋体が取り外され通気部１１を開口させた状態で、前記中心軸線Ｏ方向に沿って伸縮可能に形成されている。図示の例では、外容器１３において胴部１３ｃと口部１３ｄとの間に、前記中心軸線Ｏ方向に伸縮可能な変形容易部１３ｅが配設されている。この変形容易部１３ｅは蛇腹状に形成されている。なお、収納部１５ａの下端縁と外容器１３における底部１３ｂの内面との前記中心軸線Ｏ方向に沿った間隔は、外容器１３の変形容易部１３ｅを介した縮小変形時に、互いに当接し合わない大きさに設定されている。
【００１５】
次に、以上のように構成された気化薬剤収納容器１０の使用方法について説明する。
まず、外容器１３から図示されない蓋体を取り外して通気部１１を開口するとともに、内容器１４を外容器１３の口部１３ｄから取り外して、収納部１５ａを外容器１３の外部に抜き出した状態で、密封シート１８を微多孔性シート１７から取り外し、この微多孔性シート１７を露出させる。その後、内容器１４を外容器１３の口部１３ｄに嵌合し、微多孔性シート１７を外容器１３における底部１３ｂの内面に対向させる。
【００１６】
これにより、収納部１５ａ内に収納された気化薬剤Ｗからの気化ガスＧが、連通孔１５ｃおよび微多孔性シート１７を通って内部空間Ａに満たされることで、このガスＧが少量ずつ定常的に通気部１１を通って外容器１３の外部に揮散する。そして、任意のときに、外容器１３の上部を下方に向けて押圧すると、外容器１３の変形容易部１３ｅが前記中心軸線Ｏ方向に沿って縮小変形させられ、この変形による内部空間Ａの体積減少分だけまとまった量の気化ガスＧが通気部１１を通って外容器１３の外部に揮散される。
【００１７】
以上説明したように本実施形態に係る気化薬剤収納容器１０によれば、任意のときにまとまった量の気化ガスＧを揮散させることが可能で、しかも少量の気化ガスＧを定常的に揮散させることもできる。
また、本実施形態では、外容器１３の開口部１３ａに、内容器１４が離脱可能に嵌合されているので、気化ガスＧを外部に揮散させるに際し、内容器１４を外容器１３から取り外すことで、収納部１５ａを外容器１３の外部に抜き出した状態で密封シート１８を微多孔性シート１７から取り外すことが可能になり、この取り外しを容易に行うことができる。さらに、収納部１５ａを外容器１３の外部に抜き出した状態で、この収納部１５ａ内に気化薬剤Ｗを収納することも可能になり、収納部１５ａ内に気化薬剤Ｗを容易に収納することができる。
【００１８】
なお、本発明の技術的範囲は前記実施の形態に限定されるものではなく、本発明の趣旨を逸脱しない範囲において種々の変更を加えることが可能である。
例えば、前記実施形態では、内容器１４に備えられた収納部１５ａ内に気化薬剤Ｗを収納したが、これに代えて、内容器１４を設けずに外容器１３の内部空間Ａに直接気化薬剤Ｗを収納してもよい。この場合、内容器１４が不要となり構成が簡単になる。さらにこの場合、外容器１３の開口端縁１３ｆ上に、開口部１３ａをその全域にわたって覆う微多孔性シート１７と密封シート１８とをこの順に配設してもよい。
また、前記実施形態では、容器体１２の内容器１４に通気部１１を形成したが、これに代えて例えば外容器１３に形成してもよい。
さらに、前記実施形態では、通気部１１を閉塞する蓋体を備えたものとしたが、蓋体を備えていなくてもよい。
また、外容器１３および内容器１４をそれぞれ円筒状に形成したが、これらの形状は適宜変更してもよい。
また、外容器１３の開口部１３ａに内容器１４が離脱可能に嵌合された構成としたが、これに代えて、取り外し不能に嵌合される構成としてもよい。
さらに、前記実施形態に代えて、外容器１３の口部１３ｄの外周面に雄ネジ部を形成し、内容器１４に、フランジ部１４ａの外周端に垂設されかつ内周面に雌ネジ部が形成された周壁部を備えさせ、外容器１３と内容器１４とを螺合する構成としてもよい。このとき、内容器１４には、前記嵌合筒部１５ｂを設けることが好ましい。
また、前記実施形態では、連通孔１５ｃとして収納部１５ａの下端開口部を示したが、この収納部１５ａの周壁部に貫通孔を形成し、この貫通孔を連通孔１５ｃとしてもよい。
【００１９】
次に、この発明の第２実施形態について説明するが、前記第１実施形態と同一の部位には同一の符号を付してその説明は省略し、異なる点についてのみ説明する。この実施形態に係る気化薬剤収納容器２０においては、図３に示されるように、容器体１２に外容器１３と外容器１３の開口部１３ａに離脱可能に嵌合された内容器２１とが備えられている。
なお、この図３では、図１および図２で示した姿勢に対して上下を反転させた逆立ち姿勢の気化薬剤収納容器２０を示しているが、説明の便宜上、図３において紙面の下側を上側とし、紙面の上側を下側として以下説明する。
【００２０】
内容器２１は、天壁部２２と、天壁部２２の下面における中央部に内部空間Ａに向けて突設された収納部１５ａと、天壁部２２の下面における外周縁部に表裏面がこの容器２０の周方向に向くように設けられた支持板２３と、を備え、これら２２、１５ａ、２３が一体に形成されている。支持板２３は、前記中心軸線Ｏ回りに間隔をあけて複数設けられている。また、支持板２３は、平面視Ｌ字状の板状に形成され、天壁部２２の下面における外周縁部および収納部１５ａの外周面における上端部に連結されている。
【００２１】
そして、支持板２３の側端縁のうち、この容器２０の径方向外方を向きかつ前記中心軸線Ｏ方向に沿って延びる第１側端縁２３ａは、外容器１３の開口部１３ａ内に嵌合され、また、下方を向きかつこの容器２０の径方向に沿って延びる第２側端縁２３ｂは、外容器１３の開口端縁１３ｆ上に配置されている。そして、外容器１３における開口端縁１３ｆの上面と、内容器２１における天壁部２２の下面との間において、前記中心軸線Ｏ回りで隣り合う支持板２３同士の間に位置する部分が、内部空間Ａと外部とを連通する通気部２４となっている。つまり、この通気部２４は、容器体１２の径方向外側に向けて開口している。
【００２２】
以上のように構成された気化薬剤収納容器２０では、前記第１実施形態と同様の作用効果が奏されるのに加え、その上端面である天壁部２２の外面が平坦面であり、通気部２４が容器体１２の径方向外側に向けて開口しているので、図３に示されるように、天壁部２２の外面を接地させ外容器１３の底部１３ｂの外面が上方に向くように上下を反転させても使用することが可能になる。したがって、気化薬剤Ｗからの気化ガスＧの揮散状況に応じて、この気化薬剤収納容器２０の姿勢を適宜選択することが可能になり、その適用範囲を広げることができる。
【００２３】
次に、この発明の第３実施形態について説明するが、前記第１、第２実施形態と同一の部位には同一の符号を付してその説明は省略し、異なる点についてのみ説明する。この実施形態に係る気化薬剤収納容器３０においては、図４に示されるように、容器体１２に外容器１３と外容器１３の開口部１３ａ内に離脱可能に嵌合された内容器３１とが備えられている。
なお、この図４では、図３と同様に、図１および図２で示した姿勢に対して上下を反転させた逆立ち姿勢の気化薬剤収納容器３０を示しているが、図４において紙面の下側を上側とし、紙面の上側を下側として以下説明する。
【００２４】
内容器３１は、天壁部２２と、天壁部２２の下面に前記中心軸線Ｏと同軸に内部空間Ａに向けて突設された収納部１５ａと、を備え、これら２２、１５ａが一体に形成されている。そして、この内容器３１は、天壁部２２の外周縁部における下面が、外容器１３の開口端縁１３ｆ上に配置された状態で、収納部１５ａがその全周にわたって外容器１３の開口部１３ａ内に離脱可能に嵌合されている。
さらに本実施形態では、外容器１３の底部１３ｂに前記中心軸線Ｏと同軸上に内部空間Ａと外部とを連通する通気部３２が形成されている。
また、この気化薬剤収納容器３０の開封前には、図示されない蓋体により外容器１３の底部１３ｂの外面が覆われて通気部３２が閉塞されている。
【００２５】
以上のように構成された気化薬剤収納容器３０では、前述のように逆立ち姿勢にして気化ガスＧを外部に揮散させることで、前記第１実施形態と同様の作用効果が奏されることになる。また、本実施形態では、通気部３２が外容器１３の底部１３ｂに形成されるとともに、内容器３１が、天壁部２２の外周縁部における下面が外容器１３の開口端縁１３ｆ上に配置された状態で、収納部１５ａがその全周にわたって外容器１３の開口部１３ａ内に離脱可能に嵌合されて配設されているので、この内容器３１の構造を簡略にすることが可能になり、製造コストを抑えることができる。
【００２６】
なお、前記第２実施形態および第３実施形態では、微多孔性シート１７および密封シート１８を設けずに、連通孔１５ｃを開口させてもよい。また、これらの両シート１７、１８を設けるのに代えて、内部空間Ａと収納部１５ａ内とを連通する孔を有する蓋体を、内容器２１、３１の収納部１５ａに、連通孔１５ｃを覆うように配設してもよい。
【産業上の利用可能性】
【００２７】
任意のときにまとまった量の気化ガスを揮散させることが可能で、しかも少量の気化ガスを定常的に揮散させることができる。
【図面の簡単な説明】
【００２８】
【図１】本発明に係る一実施形態として示した気化薬剤収納容器の開封前の縦断面図である。
【図２】図１に示す気化薬剤収納容器において、密封シートを微多孔性シールから取り外し、容器体をその軸方向に縮小変形させた状態を示す縦断面図である。
【図３】本発明に係る他の実施形態として示した気化薬剤収納容器において、逆立ち姿勢にして気化ガスを外部に揮散させている状態を示す縦断面図である。
【図４】本発明に係るさらに他の実施形態として示した気化薬剤収納容器において、逆立ち姿勢にして気化ガスを外部に揮散させている状態を示す縦断面図である。
【符号の説明】
【００２９】
１０、２０、３０  気化薬剤収納容器
１１、２４、３２  通気部
１２  容器体
１３  外容器
１３ａ  開口部
１４、２１、３１  内容器
１５ａ  収納部
１５ｃ  連通孔
１７  微多孔性シート
１８  密封シート
Ａ  内部空間
Ｇ  気化ガス
Ｏ  中心軸線
Ｗ  気化薬剤
【図１】
0005205080.tif 000002
【図２】
0005205080.tif 000003
【図３】
0005205080.tif 000004
【図４】
0005205080.tif 000005